(57)【特許請求の範囲】
【請求項１】
（イ）鉄筋、異形鋼棒またはボルトから成る複数の支持部材、（ロ）鋼板なら成り、前記複数の支持部材を下面側にそれぞれ溶接によって取り付けれる板状の接続部材、（ハ）形鋼または鋼管を長手方向に直交して切断してなる部材の切断面側または反切断面側を、前記複数の支持部材の上面とそれぞれ対応する位置に前記板状の接続部材を介して載置するとともに各載置部をそれぞれ溶接によって前記板状の接続部材上に取り付けられる高さ調整部材、および（ニ）前記高さ調整部材上に溶接によって取り付けられる鋼板から成る載置部材を、一体的に有する基礎用部材と、
前記複数の支持部材をそれぞれ挿入するために、既設建物の屋上床面に穿孔した複数の孔と、
前記屋上床面に載置される防水提と、
前記防水提内に注入されるエポキシ系接着剤と
を備え、
前記防水提は、前記接続部材の周囲に配されるとともに、前記エポキシ系接着剤が周囲に漏出しないように前記屋上床面上に配設され、
前記基礎用部材は、前記複数の孔に前記複数の支持部材をそれぞれ挿入し、前記複数の支持部材を取り付けた前記板状の接続部材を防水提内に前記エポキシ系接着剤を介して載置するとともに前記板状の接続部材を前記既設建物の屋上床面に対して水平に載置され、
前記エポキシ系接着剤は、前記複数の孔内および前記防水提と前記板状の接続部材との上下周囲に充填されるように前記防水堤に注入されて固化し、その固化層を介して前記防水提と前記板状の接続部材とを前記屋上床面上に固着するとともに前記複数の支持部材を前記複数の孔内にそれぞれ固着して成る
ことを特徴とする構造物支持用基礎。
【請求項２】
請求項１記載の構造物支持用基礎を設置する工法において、
既設建物の屋上床面に複数の孔を穿孔する工程と、
前記孔の周囲に防水提を配置する工程と、
前記防水提内にエポキシ系接着剤を注入する工程と、
前記基礎用部材の複数の支持部材を、前記複数の孔内にそれぞれ挿入し、前記複数の支持部材を取り付けた前記板状の接続部材を前記防水提内に溜まった前記エポキシ系接着剤に没入させるとともに前記板状の接続部材を前記既設建物の屋上床面に対して水平に保持し、前記エポキシ系接着剤を固化する工程と
を備えたことを特徴とする構造物支持用基礎の設置工法。
【発明の詳細な説明】
【０００１】
【発明の属する技術分野】
本発明は、既設建物の屋上に設置される構造物支持用基礎およびその設置工法に関する。
【０００２】
【従来の技術】
従来、例えば、空調設備などで使用される配管支持用架台を支持するため、エアコン、冷却塔、外気調整器、送風機などの機器を据え付けるため、などのように各種構造物を支持する目的でビルディングなどの既設建物の屋上にコンクリートなどから成る基礎ブロックが設置されている。
図６は、その一例を示す。
図６に示す基礎ブロック６は、例えば、下記のようにして設置されている。
【０００３】
先ず、屋上の屋根スラブ１の防水層２，断熱層３を部分的に取り除いて、建物コンクリート部４を出す。
次に、その建物コンクリート部４をはつり、コンクリート中の鉄筋５を切断して起こす。
次に、そこに基礎脚部用鉄骨枠７を継ぎ足し、コンクリートを流し込んだ後、防水層２，断熱層３を修復し、さらに、防水層２を脚部上部まで巻き上げて基礎ブロック６を形成する。
【０００４】
次に、基礎ブロック６の上部に載置部８をアンカーボルト９にて止め付ける。
【０００５】
【発明が解決しようとする課題】
しかし、従来の基礎ブロック６では、屋根スラブ１の防水層２、断熱層３を部分的に取り除く作業を必要とするため、設置作業が大がかりとなる上に、工期が長くなるという問題があった。
また、屋根スラブ１の防水層２、断熱層３を部分的に取り除く作業を必要とするため、基礎ブロック６の周囲に防水層２を巻き上げて形成しても、作業時に防水層２，断熱層３，建物コンクリート部４などに生じた剥離、クラックなどを確実に塞ぐことができず、雨漏りを起こすおそれがあった。
【０００６】
本発明は、斯かる従来の問題点を解決するために為されたもので、その目的は、設置作業が容易で工期が短くかつ雨漏りを起こすことのない構造物支持用基礎およびその設置工法を提供することにある。
【０００７】
【課題を解決するための手段】
請求項１に係る発明は、（イ）鉄筋、異形鋼棒またはボルトから成る複数の支持部材、（ロ）鋼板なら成り、前記複数の支持部材を下面側にそれぞれ溶接によって取り付けれる板状の接続部材、（ハ）形鋼または鋼管を長手方向に直交して切断してなる部材の切断面側または反切断面側を、前記複数の支持部材の上面とそれぞれ対応する位置に前記板状の接続部材を介して載置するとともに各載置部をそれぞれ溶接によって前記板状の接続部材上に取り付けられる高さ調整部材、および（ニ）前記高さ調整部材上に溶接によって取り付けられる鋼板から成る載置部材を、一体的に有する基礎用部材と、前記複数の支持部材をそれぞれ挿入するために、既設建物の屋上床面に穿孔した複数の孔と、前記屋上床面に載置される防水提と、前記防水提内に注入されるエポキシ系接着剤とを備え、前記防水提は、前記接続部材の周囲に配されるとともに、前記エポキシ系接着剤が周囲に漏出しないように前記屋上床面上に配設され、前記基礎用部材は、前記複数の孔に前記複数の支持部材をそれぞれ挿入し、前記複数の支持部材を取り付けた前記板状の接続部材を防水提内に前記エポキシ系接着剤を介して載置するとともに前記板状の接続部材を前記既設建物の屋上床面に対して水平に載置され、前記エポキシ系接着剤は、前記複数の孔内および前記防水提と前記板状の接続部材との上下周囲に充填されるように前記防水堤に注入されて固化し、その固化層を介して前記防水提と前記板状の接続部材とを前記屋上床面上に固着するとともに前記複数の支持部材を前記複数の孔内にそれぞれ固着して成ることを特徴とする。
【０００８】
請求項２に係る発明は、請求項１記載の構造物支持用基礎を設置する工法において、既設建物の屋上床面に複数の孔を穿孔する工程と、前記孔の周囲に防水提を配置する工程と、前記防水提内にエポキシ系接着剤を注入する工程と、前記基礎用部材の複数の支持部材を、前記複数の孔内にそれぞれ挿入し、前記複数の支持部材を取り付けた前記板状の接続部材を前記防水提内に溜まった前記エポキシ系接着剤に没入させるとともに前記板状の接続部材を前記既設建物の屋上床面に対して水平に保持し、前記エポキシ系接着剤を固化する工程とを備えたことを特徴とする。
【００１０】
【発明の実施の形態】
以下、本発明を図面に示す実施形態に基づいて説明する。
図１〜図４は、本発明の一実施形態に係る構造物支持用基礎およびその設置工法を示す（請求項１〜請求項２に対応する）。
本実施形態に係る構造物支持用基礎１０は、ビルディングなどの既設建物１１の屋上１２の屋根スラブ１３に穿孔した１１本の孔１４の周囲を、例えば、アルミニウム製アングル材で構成された矩形状の防水提３０で囲い、この防水提３０内にエポキシ系樹脂５０を注入した後、１１本の孔１４内に基礎用部材２０の１１本の支持部材２２を挿入し、基礎用部材２０の接続部材２５を水平に載置した状態でエポキシ系接着剤５０を固化し、固化層５５を介して基礎用部材２０を固着したものである。
【００１１】
基礎用部材２０は、鉄筋、異形鋼棒またはボルトから成る１１本の支持部材２２と、１１本の支持部材２２を取り付ける鋼板から成る板状の接続部材２５と、接続部材２５上に１１本の支持部材２２と対応する位置にそれぞれ取り付けたＨ形鋼から成る高さ調整部材２７と、高さ調整部材２７に取り付けた鋼板から成る板状の載置部材２９とを溶接により一体的に結合したものである。
【００１２】
支持部材２２は、接続部材２５を介して高さ調整部材２７の直下に位置するように設定されている。これは、高さ調整部材２７上に取り付けられる載置部材２９に掛かる機器類などの重量が、接続部材２５に掛かることなく直に支持部材２２に掛かるようにするためである。
支持部材２２は、上載荷重に対し十分な圧縮耐圧を持つように、その径および長さが設定されている。
【００１３】
ここで、接続部材２５と載置部材２９とは、平行にしてある。
防水提３０は、屋根スラブ１３上に載置されるとともに接続部材２５の周囲に配設される。この際、防水提３０は、接続部材２５の周囲に配されるとともに、エポキシ系接着剤５０が周囲に漏出しないように任意の漏出防止部材を介して屋根スラブ１３上に配設されている。
【００１４】
次に、本実施形態に係る構造物支持用基礎の設置工法について説明する。
先ず、構造物支持用基礎１０を設置する領域において、屋根スラブ１３の防水層１５，断熱層１６を取り除くことなく、ドリルで防水層１５，断熱層１６を貫通して建物コンクリート駆体１７に１１本の孔１４を開ける。
次に、その周囲に防水提３０を載置する。この際、後で注入されるエポキシ系樹脂５０が周囲に漏れ出ないように、屋根スラブ１３との境界部に公知のシールを施す。
【００１５】
次に、防水提３０内にエポキシ系樹脂５０を注入する。
次に、１１本の孔１４内に基礎用部材２０の１１本の支持部材２２をそれぞれ挿入し、屋根勾配や部分的レベルの違いを調整して、基礎用部材２０の接続部材２５を、水平に載置した状態でエポキシ系接着剤５０が固化するまで保持する。
そして、エポキシ系樹脂５０の固化が確認されると、設置工法が完了する。
【００１６】
斯くして得られた構造物支持用基礎１０によれば、図４に示すように、ドリルで１１本の孔１４を穿孔する際に防水層１５，保護層１６，建物コンクリート駆体１７に生じた孔１４回りの剥離、クラック１４ａなどにエポキシ系樹脂５０がしみ込み、孔１４と防水層１５，保護層１６，建物コンクリート駆体１７を確実に隔離し、雨水などの浸入が確実に防止できる構造となっている。
【００１７】
また、屋根スラブ１３表面側においては、孔１４回りが防水提３０を介して固化したエポキシ系樹脂５０の固化層５５により固着されているので、孔１４から雨水などが浸入することはできない。
そして、固化層５５を介して固着された基礎用部材２０は、１１本の支持部材２２が、接続部材２５を介して高さ調整部材２７の直下に位置するように設定されているので、高さ調整部材２７上に取り付けられる載置部材２９に掛かる機器類などの重量は、接続部材２５に掛かることなく直に１１本の支持部材２２に掛かり、固着層２５を介して建物コンクリート駆体１７に伝達される。
【００１８】
従って、上載荷重に対し十分な圧縮耐圧を保持することが可能となる。
また、本実施形態によれば、屋根スラブ１３の防水層１５，断熱層１６を取り除くことなく、ドリルで防水層１５，断熱層１６を貫通して建物コンクリート駆体１７に１１本の孔１４を開け、その周囲に防水提３０を載置し、エポキシ系樹脂５０を注入し、基礎用部材２０を取り付けるので、従来の設置工法に比し、設置作業が容易で、工期が短くできる。
【００１９】
なお、上記実施形態では、高さ調整部材２７としてＨ形鋼を用いた場合について説明したが、図５に示すように、丸パイプ２７ａを用いても良い。
この場合も、丸パイプ２７ａは、支持部材２２の真上に位置している。
また、上記実施形態では、１１本の支持部材２２を用いた場合について説明したが、支持部材２２の本数は、基礎用部材２０に載置される機器類などの重量に応じて任意に変更できる。
【００２０】
また、穿孔される孔１４は、支持部材２２の本数に応じて決められる。
また、上記実施形態では、載置部材２９を板状にした場合について説明したが、板状に限らず、構造物を支持できる構造をしてあれば良く、特に限定するものではない。
また、高さ調整部材２７は、適用される構造物の設置される高さに応じて任意に変更できる。
【００２１】
また、屋上の床面として屋根スラブ１３に適用した場合について説明したが、下階の柱であっても良い。
【００２２】
【発明の効果】
以上のように、本発明によれば、既設建物の屋上屋根スラブまたは下階の柱上に穿設した孔に基礎用部材の支持部材を差し込み、エポキシ系樹脂を介して既設建物に基礎用部材を固着するので、従来の設置工法に比し設置作業が容易で工期が短くかつ雨漏りを起こすことがないという利点がある。
【図面の簡単な説明】
【図１】本発明の一実施形態に係る構造物支持用基礎および基礎用部材を示す断面図である。
【図２】本発明の一実施形態に係る基礎用部材を示す側面図である。
【図３】図２に示す基礎用部材の平面図である。
【図４】本発明の一実施形態に係る構造物支持用基礎および基礎用部材の作用を示す拡大断面図である。
【図５】本発明における別の基礎用部材の平面図である。
【図６】従来の基礎ブロックを示す断面図である。
【符号の説明】
１０  構造物支持用基礎
１１  既設建物
１２  屋上
１３  屋根スラブ
１４  孔
１５  防水層
１６  断熱層
１７  建物コンクリート駆体
２０  基礎用部材
２２  支持部材
２５  接続部材
２７  高さ調整部材
２７ａ  丸パイプ
２９  載置部材
３０  防水提
５５  固化層
５０  エポキシ系樹脂
【図１】
0003964735.tif 000002
【図２】
0003964735.tif 000003
【図３】
0003964735.tif 000004
【図４】
0003964735.tif 000005
【図５】
0003964735.tif 000006
【図６】
0003964735.tif 000007